(57)【要約】【課題】撮影者の利便性を損なわせることなく、装着する撮影レンズの種類によらずに、常に正しい向きの画像を得ることができるカメラを提供すること。【解決手段】カメラの電源がオンされた後、ボディＣＰＵ２２０は交換レンズ１００のレンズＣＰＵ１０５と通信し、レンズ情報を読み込む（ステップＳ４）。読み込んだレンズ情報に従って交換レンズ１００が通常の交換レンズであるか否かを判定し（ステップＳ６）、通常の交換レンズではなく、特殊交換レンズが装着されていた場合には、画像処理回路２１２において画像データの反転を行う（ステップＳ７）。【選択図】図５
2009290787.tif 000002
【特許請求の範囲】
【請求項１】
撮影レンズが交換可能なカメラにおいて、
上記撮影レンズを介して被写体を撮像し、上記被写体の像に基づく画像を取得する撮像手段と、
上記撮影レンズが第１のタイプのレンズと第２のタイプのレンズの何れであるかを判別する判別手段と、
上記撮像手段で取得される画像を処理する画像処理手段と、
を具備し、
上記画像処理手段は、上記判別手段により、上記撮影レンズが上記第２のタイプのレンズであると判別された場合に、上記撮像手段で取得される画像の上下左右を反転させて出力することを特徴とするカメラ。
【請求項２】
上記画像処理手段から出力された画像を表示部に表示させる制御と上記画像処理手段から出力された画像を記録媒体に記録させる制御の少なくとも何れか一方を行う制御手段をさらに具備することを特徴とする請求項１に記載のカメラ。
【請求項３】
撮影レンズが交換可能なカメラにおいて、
上記撮影レンズを介して被写体を撮像し、上記被写体の像に基づく画像を取得する撮像手段と、
上記撮影レンズが第１のタイプのレンズと第２のタイプのレンズの何れであるかを判別する判別手段と、
上記判別手段により、上記撮影レンズが上記第２のタイプのレンズであると判別された場合に、上記撮像手段で取得される画像を上記撮影レンズが上記第１のタイプのレンズである場合に上記撮像手段で取得される画像に対して反転させて出力する反転画像処理モードと、上記撮影レンズが上記第１のタイプのレンズであると判別された場合に、上記撮像手段で取得される画像を反転させずに出力する標準画像処理モードとを有する画像処理手段と、
上記画像処理手段から出力された画像を表示部に表示させる制御手段と、
を具備することを特徴とするカメラ。
【請求項４】
上記表示部は、外部表示用の液晶モニタと電子ファインダ表示用の液晶モニタの少なくとも何れかを含むことを特徴とする請求項３に記載のカメラ。
【請求項５】
上記制御手段は、上記画像処理手段から出力された画像を記録媒体に記録することをさらに行うことを特徴とする請求項３又は４に記載のカメラ。
【請求項６】
撮影レンズが交換可能なカメラにおいて、
上記撮影レンズを介して被写体を撮像し、上記被写体の像に基づく画像を取得する撮像手段と、
上記撮影レンズが第１のタイプのレンズと第２のタイプのレンズの何れであるかを判別する判別手段と、
上記撮像手段で取得される画像を表示する表示手段と、
を具備し、
上記表示手段は、上記判別手段により、上記撮影レンズが上記第２のタイプのレンズであると判別された場合に、上記撮像手段で取得される画像の上下左右を反転させた画像を表示することを特徴とするカメラ。
【請求項７】
上記判別手段により、上記撮影レンズが上記第２のタイプのレンズであると判別された場合に、上記撮像手段の感度を上記撮影レンズが上記第１のタイプのレンズであると判別された場合よりも高く設定する感度設定手段をさらに具備することを特徴とする請求項１乃至６の何れか１項に記載のカメラ。
【請求項８】
上記第２のタイプのレンズは、上記第１のタイプのレンズに比べて小口径且つ広角のレンズを含むことを特徴とする請求項１乃至７の何れか１項に記載のカメラ。
【請求項９】
上記判別手段は、上記撮影レンズの種類を示す情報を、上記撮影レンズとの通信によって取得し、該取得した撮影レンズの種類を示す情報に基づいて上記判別を行うことを特徴とする請求項１乃至８の何れか１項に記載のカメラ。
【発明の詳細な説明】
【技術分野】
【０００１】
本発明は、撮影レンズを交換可能なカメラに関する。
【背景技術】
【０００２】
一般に、通常の撮影レンズでは焦点深度がそれほど深くはないため、超至近から遠景までフォーカスの合った写真を撮影することが困難であるとされている。このような超至近から遠景までフォーカスの合った写真を撮影するために、小径広角の光学系と、リレー光学系とを用いて焦点深度を深くした撮影レンズが用いられることがある。しかしながら、このような構成の撮影レンズを用いた場合には、被写体像を通常のファインダ等を介して観察すると観察像が反転してしまうことが知られている。このような観察像の反転を防止する手法としては、さらにリレー光学系を追加することが考えられる。しかしながら、この場合には、リレー光学系を追加するために撮影レンズとしての大型化は避けられない。
【０００３】
リレー光学系の追加なしで観察像の反転を防止する手法として特許文献１の手法が提案されている。この特許文献１の手法では、通常のビデオカメラ用の光学レンズが画像撮影装置に装着された場合には画像の反転がないとして、撮像素子（ＣＣＤ）を介して得られる画像の上下左右を反転せずに画像処理部に入力し、フィルム用の光学レンズが画像撮影装置に装着された場合には画像の反転があるとして、撮像素子（ＣＣＤ）を介して得られる画像の上下左右を反転してから画像処理部に入力するようにしている。
【特許文献１】特開２０００−１８４２９６号公報
【発明の開示】
【発明が解決しようとする課題】
【０００４】
ここで、特許文献１の手法ではマイクロプロセッサがどのように光学レンズの種類を判別しているかについての具体的な開示がない。仮に、撮影者の指示によって画像の反転／非反転を切り替えるとすると、撮影者にとっての利便性が損なわれることになってしまう。
【０００５】
本発明は、上記の事情に鑑みてなされたもので、撮影者の利便性を損なわせることなく、装着する撮影レンズの種類によらずに、常に正しい向きの画像を得ることができるカメラを提供することを目的とする。
【課題を解決するための手段】
【０００６】
上記の目的を達成するために、本発明の第１の態様のカメラは、撮影レンズが交換可能なカメラにおいて、上記撮影レンズを介して被写体を撮像し、上記被写体の像に基づく画像を取得する撮像手段と、上記撮影レンズが第１のタイプのレンズと第２のタイプのレンズの何れであるかを判別する判別手段と、上記撮像手段で取得される画像を処理する画像処理手段とを具備し、上記画像処理手段は、上記判別手段により、上記撮影レンズが上記第２のタイプのレンズであると判別された場合に、上記撮像手段で取得される画像の上下左右を反転させて出力することを特徴とする。
【０００７】
また、上記の目的を達成するために、本発明の第２の態様のカメラは、撮影レンズが交換可能なカメラにおいて、上記撮影レンズを介して被写体を撮像し、上記被写体の像に基づく画像を取得する撮像手段と、上記撮影レンズが第１のタイプのレンズと第２のタイプのレンズの何れであるかを判別する判別手段と、上記判別手段により、上記撮影レンズが上記第２のタイプのレンズであると判別された場合に、上記撮像手段で取得される画像を上記撮影レンズが上記第１のタイプのレンズである場合に上記撮像手段で取得される画像に対して反転させて出力する反転画像処理モードと、上記撮影レンズが上記第１のタイプのレンズであると判別された場合に、上記撮像手段で取得される画像を反転させずに出力する標準画像処理モードとを有する画像処理手段と、上記画像処理手段から出力された画像を表示する表示手段とを具備することを特徴とする。
【０００８】
また、上記の目的を達成するために、本発明の第３の態様のカメラは、撮影レンズが交換可能なカメラにおいて、上記撮影レンズを介して被写体を撮像し、上記被写体の像に基づく画像を取得する撮像手段と、上記撮影レンズが第１のタイプのレンズと第２のタイプのレンズの何れであるかを判別する判別手段と、上記撮像手段で取得される画像を表示する表示手段とを具備し、上記表示手段は、上記判別手段により、上記撮影レンズが上記第２のタイプのレンズであると判別された場合に、上記撮像手段で取得される画像の上下左右を反転させた画像を表示することを特徴とする。
【発明の効果】
【０００９】
本発明によれば、撮影者の利便性を損なわせることなく、装着する撮影レンズの種類によらずに、常に正しい向きの画像を得ることができるカメラを提供することができる。
【発明を実施するための最良の形態】
【００１０】
以下、図面を参照して本発明の実施形態を説明する。  
図１は、本発明の一実施形態に係るカメラの構成を示した図である。本実施形態におけるカメラは、交換レンズ１００とカメラボディ２００とを有する撮影レンズが交換可能なカメラを想定している。
【００１１】
交換レンズ１００は、撮影レンズ１０１と、光学系駆動機構１０２と、絞り機構１０３と、絞り駆動機構１０４と、レンズＣＰＵ１０５とを有している。なお、詳細は後述するが、本実施形態においては撮影の用途等に応じて種々の交換レンズ１００を用いることが可能である。
【００１２】
撮影レンズ１０１は、図示しない被写体の光束を集光してカメラボディ２００内の撮像素子２０６上に被写体像を結像させるための光学系である。光学系駆動機構１０２は、撮影レンズ１０１に含まれるレンズをその光軸方向（図示一点鎖線方向）に駆動する。撮影レンズ１０１内のレンズを駆動することで撮影レンズ１０１のフォーカスやズーム状態等が調整される。
【００１３】
絞り機構１０３は、撮影レンズ１０１を介して撮像素子２０６に入射する光束の光量を調整する。絞り駆動機構１０４は、絞り機構１０３の開閉駆動を行う。
【００１４】
レンズＣＰＵ１０５は、交換レンズ１００がカメラボディ２００に装着された際に、通信端子１０６を介してカメラボディ２００内のシーケンスコントローラ（ボディＣＰＵ）２２０と通信可能に構成されている。このレンズＣＰＵ１０５は、ボディＣＰＵ２２０の制御に従って光学系駆動機構１０２の制御及び絞り駆動機構１０４の制御等を行う。また、レンズＣＰＵ１０５は、交換レンズ１００の種類や撮影レンズ１０１の焦点距離情報等のレンズ情報を保持しており、交換レンズ１００がカメラボディ２００に装着された際に、通信端子１０６を介してボディＣＰＵ２２０にレンズ情報を送信することも行う。
【００１５】
カメラボディ２００は、フォーカルプレーンシャッタ２０１と、シャッタ駆動機構２０２と、防塵フィルタ２０３と、防塵フィルタ駆動回路２０４と、各種フィルタ２０５と、撮像素子２０６と、撮像素子駆動回路２０７と、前処理回路２０８と、データバス２０９と、ＳＤＲＡＭ制御回路２１０と、ＳＤＲＡＭ２１１と、画像処理回路２１２と、ビデオ信号出力回路２１３と、液晶モニタ駆動回路２１４と、ファインダ（Ｆ）内液晶モニタ２１５と、背面液晶モニタ２１６と、圧縮伸張回路２１７と、記録媒体制御回路２１８と、記録媒体２１９と、シーケンスコントローラ（ボディＣＰＵ）２２０と、フラッシュメモリ制御回路２２１と、フラッシュメモリ２２２と、各種スイッチ２２３と、着脱検知スイッチ２２４と、スイッチ検出回路２２５と、入出力回路２２６と、通信回路２２７とを有している。
【００１６】
フォーカルプレーンシャッタ２０１は、撮像素子２０６の前方に配置され、撮像素子２０６の光電変換面を遮光する。シャッタ駆動機構２０２は、フォーカルプレーンシャッタ２０１の開閉を行う。撮影時においては、交換レンズ１００内の絞り機構１０３の開放量とフォーカルプレーンシャッタ２０１の開放時間とを制御することによって撮像素子２０６の露光量を制御することが可能である。
【００１７】
防塵フィルタ２０３は、各種フィルタ２０５、撮像素子２０６の前方に配置され、各種フィルタ２０５及び撮像素子２０６への塵埃の付着を防止する。防塵フィルタ駆動回路２０４は、防塵フィルタ２０３を振動させることで防塵フィルタ２０３に付着した塵埃を払い落とす。
【００１８】
各種フィルタ２０５は、撮影レンズ１０１を介して撮像素子２０６に入射する光束の赤外光成分を除去する赤外カットフィルタや高周波ノイズ成分を除去するローパスフィルタ等の各種の光学フィルタである。
【００１９】
撮像素子２０６は、撮影レンズ１０１を介して結像された被写体像を光電変換によって電気信号（画像信号）に変換する。撮像素子駆動回路２０７は、入出力回路２２６を介したボディＣＰＵ２２０からの指示に従って撮像素子２０６を駆動制御するとともに、撮像素子２０６で得られる画像信号の読み出しを制御する。
【００２０】
前処理回路２０８は、撮像素子駆動回路２０７を介して撮像素子２０６から読み出される画像信号に対してノイズ除去や増幅等のアナログ処理を施し、さらにアナログ処理した画像信号をデジタル信号（画像データ）に変換する処理を行う。なお、前処理回路２０８における増幅の際の増幅率はボディＣＰＵ２２０によって設定される。
【００２１】
データバス２０９は、前処理回路２０８において得られた画像データや画像処理回路２１２で処理される画像データ等の種々のデータを転送するための転送路である。
【００２２】
ＳＤＲＡＭ制御回路２１０は、ＳＤＲＡＭ２１１へのデータの書き込み及び読み出しを制御する。ＳＤＲＡＭ２１１は、前処理回路２０８において得られたデータ等を一時格納しておくためのバッファメモリである。
【００２３】
画像処理回路２１２は、前処理回路２０８において得られ、ＳＤＲＡＭ２１１に格納されている画像データを読み出して各種の画像処理を施す。この画像処理は、画像の色バランスを補正するホワイトバランス補正処理、画像の色を補正する色補正処理、画像の階調を補正する階調補正処理等が含まれる。さらに、本実施形態において、画像処理回路２１２は、交換レンズ１００が特殊交換レンズである場合に画像データの上下左右を反転する処理も実行する。特殊交換レンズについては後述する。
【００２４】
ビデオ信号出力回路２１３は、ＳＤＲＡＭ２１１から画像処理後の画像データを読み出し、読み出した画像データをビデオ信号に変換して液晶モニタ駆動回路２１４に出力する。液晶モニタ駆動回路２１４は、ビデオ信号出力回路２１３から入力されたビデオ信号に従ってＦ内液晶モニタ２１５と背面液晶モニタ２１６を駆動して、Ｆ内液晶モニタ２１５と背面液晶モニタ２１６の画面上に画像表示を行う。Ｆ内液晶モニタ２１５は、カメラボディ２００の背面に設けられるファインダ観察窓内に設けられており、ユーザが被写体像をファインダ上で観察するための画像表示を行う。背面液晶モニタ２１６は、カメラボディ２００の背面に配置されており、撮影によって得られた画像等の各種の画像を表示する。ここで、本実施形態では、背面液晶モニタ２１６上に、Ｆ内液晶モニタ２１５に表示される画像と同じ画像を表示させることが可能である。以下、Ｆ内液晶モニタ２１５や背面液晶モニタ２１６を用いたファインダ用の画像表示をライブビュー動作と記す。なお、ライブビュー動作はＦ内液晶モニタ２１５と背面液晶モニタ２１６の何れか一方のみで行うようにしても良い。
【００２５】
圧縮伸張回路２１７は、ＳＤＲＡＭ２１１から画像処理後の画像データを読み出し、読み出した画像データをＪＰＥＧ方式等の所定の圧縮形式で圧縮する。また、圧縮伸張回路２１７は、画像の再生時には、ＳＤＲＡＭ２１１から圧縮済みの画像データを読み出し、読み出した画像データを伸張することも行う。
【００２６】
記録媒体制御回路２１８は、記録媒体２１９へのデータの書き込み及び読み出しを制御する。記録媒体２１９は、例えばカメラボディ２００に対して着脱自在に構成されたメモリカードであり、圧縮伸張回路２１７において圧縮された画像データを記録する。
【００２７】
制御手段としての機能を有するボディＣＰＵ２２０は、フラッシュメモリ２２２に記憶されている制御プログラムに従って、シャッタ駆動機構２０２の制御や防塵フィルタ駆動回路２０４の制御等、カメラボディ２００内の各部の制御を行う。また、ボディＣＰＵ２２０は、交換レンズ１００のレンズＣＰＵ１０５と通信してレンズ情報を取得し、このレンズ情報に従って交換レンズ１００が特殊交換レンズであるか否かを判別する判別手段としての機能も有している。さらに、ボディＣＰＵ２２０は、交換レンズ１００の種類に応じて撮像素子２０６の感度（前処理回路２０８における撮像信号の増幅率）を設定する感度設定手段としての機能も有している。
【００２８】
フラッシュメモリ制御回路２２１は、フラッシュメモリ２２２へのデータの書き込み及び読み出しを制御する。フラッシュメモリ２２２は、ボディＣＰＵ２２０によって読み出される制御プログラムやカメラボディ２００の各種の設定値等を記憶する。
【００２９】
各種スイッチ２２３は、カメラボディ２００を操作するための各種の操作部材に応答して状態が切り替わるスイッチである。この各種の操作部材としては、カメラボディ２００の電源をオン又はオフさせるためのパワースイッチ、カメラに撮影実行の指示を与えるためのレリーズボタン、画像再生の指示を与えるための再生ボタン、メニュー画面表示の指示を与えるためのメニューボタン、カメラの各種設定を行うための入力キー等が挙げられる。着脱検知スイッチ２２４は、交換レンズ１００がカメラボディ２００に装着されたことを検知するためのスイッチである。スイッチ検出回路２２５は、各種スイッチ２２３及び着脱検知スイッチ２２４の操作状態を検出し、検出結果をボディＣＰＵ２２０に通知する回路である。スイッチ検出回路２２５を介して操作部材の操作が検出された場合に、ボディＣＰＵ２２０は、操作部材の操作内容に応じた制御を実行する。
【００３０】
入出力回路２２６は、ボディＣＰＵ２２０からの指示を受けて、シャッタ駆動機構２０２、防塵フィルタ駆動回路２０４、撮像素子駆動回路２０７の制御を行うための信号を出力するインターフェース回路である。
【００３１】
通信回路２２７は、交換レンズ１００のレンズＣＰＵ１０５とカメラボディ２００のボディＣＰＵ２２０との通信を行うためのインターフェース回路である。
【００３２】
以下、図１に示すカメラの動作について説明する。上述したように、本実施形態では撮影の用途等に応じて種々の交換レンズ１００を用いることが可能である。この場合、交換レンズ１００の種類によっては撮像素子２０６に結像される被写体像の向き（上下左右）が異なることがある。
【００３３】
図２（ａ）は、第１のタイプのレンズの一例として、リレー光学系を含まない撮影レンズ１０１ａを有する交換レンズ（以下、通常の交換レンズと記す）を用いた例を示している。図２（ａ）の場合、被写体像が撮像素子２０６に結像する際に、被写体像の向きが元の向きに対して上下左右反転する（図では上下の反転のみを示しているが、実際には左右も反転する）。このため、画像処理回路２１２内で画像データの上下反転処理を行ったり、撮像素子２０６からの画像信号の読み出し順やＳＤＲＡＭ２１１への画像データの書き込み順等を制御したりすることにより、Ｆ内液晶モニタ２１５や背面液晶モニタ２１６に表示される観察像を図２（ｂ）に示すような適正な向きとする。勿論、表示画像のみを上下左右に反転させても良い。
【００３４】
一方、図３（ａ）は、第２のタイプのレンズの一例として、小径広角レンズ１０１１とリレー光学系１０１２とを有する撮影レンズ１０１ｂを備える交換レンズ（以下、特殊交換レンズと記す）を用いた例を示している。小径広角レンズ１０１１は、焦点距離が短く、口径が小さいため、撮影レンズ１０１ａに比べて焦点深度を深くすることができる。したがって、撮影レンズ１０１ｂを用いることで、撮影レンズ１０１ａでは撮影できないような超至近から遠景までフォーカスが合うような画像を撮影できる。ここで、図３（ａ）の例では、小径広角レンズ１０１１を通過した光束が撮像素子２０６に結像する前に所定の位置で１次結像した後、リレー光学系１０１２によって撮像素子２０６に導かれる構成となっている。このため、最終的に撮像素子２０６に結像する被写体像の向きは、図２（ａ）の場合に対して上下左右反転している。したがって、図２（ａ）と同様の制御によってＦ内液晶モニタ２１５や背面液晶モニタ２１６に画像を表示させると、表示される観察像は、図３（ｂ）に示すように、図２（ｂ）に対して上下左右が反転してしまう。
【００３５】
本実施形態では、図３（ａ）に示すような、特殊交換レンズがカメラボディ２００に装着されたことを自動検出し、特殊交換レンズが装着された場合には、図４に示すようにして、画像をさらに反転することで常に正しい向きの観察像が得られるようにする。また、この画像を記録にも用いることで画像データの再生時においても正しい向きで再生がなされるようにする。
【００３６】
図５は、本実施形態におけるカメラの動作について示すフローチャートである。カメラボディ２００に図示しない電池が装填されたときに図５の処理が開始される。ボディＣＰＵ２２０は、まず、スイッチ検出回路２２５の出力から、ユーザの操作によってパワースイッチがオンされたか否かを判定する（ステップＳ１）。ステップＳ１の判定において、パワースイッチがオンされていない場合には本カメラの状態がスリープ状態となる。また、ステップＳ１の判定において、パワースイッチがオンである場合、若しくはスリープ状態においてパワースイッチがオンされた場合に、ボディＣＰＵ２２０はカメラボディ２００の各部及び交換レンズ１００の各部への電源供給を開始する（ステップＳ２）。
【００３７】
次に、ボディＣＰＵ２２０は、防塵フィルタ駆動回路２０４を介して防塵フィルタ２０３を駆動して防塵フィルタ２０３に付着している塵埃の除去を行う（ステップＳ３）。その後、ボディＣＰＵ２２０は、レンズＣＰＵ１０５と通信を行い、レンズＣＰＵ１０５からレンズ情報を読み込む（ステップＳ４）。レンズ情報の読み込み後、レンズＣＰＵ１０５は、レンズ情報の交換レンズ１００の種類を示す情報から、交換レンズ１００の種類を判別し、この判別結果に従って各種の動作モード及びパラメータの設定を行う（ステップＳ５）。
【００３８】
図６は、本実施形態における交換レンズの種類と動作モードとの関係を示す図である。図６に示すように、本実施形態においては交換レンズの種類に応じて、露出モードの設定、画像処理設定（画像の反転を行うか否かの設定）、ライブビュー動作の設定、情報表示設定、ＩＳＯ感度設定を行う。
【００３９】
図６に示すように、通常の交換レンズの場合の露出モードは、プログラムモード、絞り優先モード、シャッタ速度優先モード、マニュアルモードの中からユーザが設定できる。ここで、プログラムモードは、撮影時における撮像素子２０６の露出が適正露出となるように、ボディＣＰＵ２２０が所定のプログラムに従って絞り値とシャッタ速度とを演算するモードである。絞り優先モードは、絞り値を固定としつつ、撮影時における撮像素子２０６の露出が適正露出となるようなシャッタ速度をボディＣＰＵ２２０が演算するモードである。シャッタ速度優先モードは、シャッタ速度を固定としつつ、撮影時における撮像素子２０６の露出が適正露出となるような絞り値をボディＣＰＵ２２０が演算するモードである。マニュアルモードは、ユーザが絞り値とシャッタ速度を手動設定可能なモードである。
【００４０】
特殊交換レンズの場合の露出モードは、絞り優先モード、マニュアルモードのみの中からユーザが設定できる。上述したように、特殊交換レンズは小径広角レンズ１０１１を用いている。小径広角レンズ１０１１は通常の交換レンズに用いられるレンズに比べて小口径であるため、絞り機構の調整自由度が通常の交換レンズの絞り機構に比べて少ない。このため、特殊交換レンズの場合の露出モードを、絞り優先モード、マニュアルモードのみに固定するようにする。絞り優先モードを用いれば、絞り機構の調整自由度が少なくともシャッタ速度を調整することで適正露出を得ることが可能である。
【００４１】
また、図６に示すように、通常の交換レンズの場合の画像処理設定は標準画像処理モードとする。即ち、画像処理回路２１２において、画像データの反転を行わない。一方、特殊交換レンズの場合の画像処理設定は反転画像処理モードとする。即ち、画像処理回路２１２において、画像データの反転を行うようにする。
【００４２】
また、図６に示すように、通常の交換レンズの場合のライブビュー動作設定は、通常モード、ブーストモードの中からユーザが設定できる。ここで、通常モードは、環境光の明るさに応じて撮像素子２０６の感度（前処理回路２０８における画像信号の増幅率）を増減してライブビュー動作を行うモードである。一般に、撮像素子２０６の感度を増加させるとノイズも増幅される。このため、通常モードにおいては、画像に対するノイズ量が所定以上となった場合にはライブビュー動作を停止させる。これに対し、ブーストモードは、画像が暗い場合の表示に適したモードである。このブーストモードにおいては、ノイズ量が上記の所定以上となった場合においてもライブビュー動作を継続する。さらに、画像が暗くなって色ノイズが増加し、適正な色での表示が行えなくなった場合には白黒表示でライブビュー動作を継続する。
【００４３】
また、特殊交換レンズの場合のライブビューモードは、ブーストモードのみとする。小径広角レンズ１０１１は通常の交換レンズに用いられるレンズに比べて小口径であり、通常の交換レンズの場合に比べて暗い画像が撮影されやすい。このため、ブーストモードのみの設定とする。
【００４４】
また、図６に示すように、通常の交換レンズの場合の情報表示設定は通常とする。この場合にはライブビュー動作を行っているＦ内液晶モニタ２１５又は背面液晶モニタ２１６に特殊交換レンズが装着されていることを警告する表示を行わない。一方、特殊交換レンズの場合の情報表示設定は警告表示とする。この場合にはライブビュー動作を行っているＦ内液晶モニタ２１５又は背面液晶モニタ２１６に特殊交換レンズが装着されていることを警告する表示を行う。
【００４５】
また、図６に示すように、通常の交換レンズの場合のＩＳＯ感度設定はＡＵＴＯとする。ＡＵＴＯの場合には、被写体の明るさ等の条件に従ってライブビュー動作時や撮影時等のＩＳＯ感度（撮像素子２０６の感度に対応する）をボディＣＰＵ２２０が設定する。一方、特殊交換レンズの場合のＩＳＯ感度設定はＩＳＯ８００に固定する。この場合には、被写体の明るさ等の条件によらず撮影時等のＩＳＯ感度をＩＳＯ８００に固定する。これにより、ライブビュー表示時に表示される画像等を明るくする。なお、図６ではＩＳＯ８００に固定しているが、ＩＳＯ８００よりも大きなＩＳＯ感度を用いるようにしても良い。
【００４６】
ここで図５に戻って説明を続ける。ステップＳ５において、図６に示す設定で動作モードの設定をした後、ボディＣＰＵ２２０は、レンズ情報の交換レンズ１００の種類を示す情報から、現在装着されている交換レンズ１００が通常の交換レンズであるか否かを判定する（ステップＳ６）。ステップＳ６の判定において、現在装着されている交換レンズが通常のレンズでない、即ち特殊交換レンズである場合に、ボディＣＰＵ２２０は、ライブビュー動作時の観察像が正立像となるように画像処理回路２１２において画像データの反転処理を実行させる。さらに、ブーストモードによるライブビュー動作を行うための各種設定を行う（ステップＳ７）。一方、ステップＳ６の判定において、現在装着されている交換レンズが通常のレンズである場合に、ボディＣＰＵ２２０は、ステップＳ７の処理をスキップする。ステップＳ６又はステップＳ７の後、ボディＣＰＵ２２０は、液晶モニタ駆動回路２１４に対してライブビュー動作開始の指示を行う（ステップＳ８）。これにより、Ｆ内液晶モニタ２１５と背面液晶モニタ２１６の一方又は両方において観察像の表示が行われる。
【００４７】
ライブビュー動作を開始させた後、ボディＣＰＵ２２０は、撮像素子２０６を介して得られる画像データの明るさを評価することにより、撮影時における露光量（絞り値、シャッタ速度）を演算する（ステップＳ９）。なお、露出モードがマニュアルモードの場合には、ユーザによって設定された絞り値、シャッタ速度を用いる。
【００４８】
その後、ボディＣＰＵ２２０は、ユーザの再生ボタンの操作によって再生スイッチがオンしたか否かを判定する（ステップＳ１０）。ステップＳ１０の判定において、再生スイッチがオンした場合に、ボディＣＰＵ２２０は、画像データの再生動作を制御する（ステップＳ１１）。画像データの再生動作においては、例えば、液晶モニタ駆動回路２１４を制御して背面液晶モニタ２１６に記録媒体２１９に記録されている画像データの一覧を表示させる。この一覧表示において、ユーザが所望の画像を選択すると、その選択された画像データが再生され、背面液晶モニタ２１６に画像表示がなされる。このような画像データの再生動作の後は次のステップに移行する。また、ステップＳ１０の判定において、再生スイッチがオンしていない場合に、ボディＣＰＵ２２０は、ステップＳ１１の処理をスキップする。
【００４９】
ステップＳ１０又はＳ１１の後、ボディＣＰＵ２２０は、ユーザのメニューボタンの操作によってメニュースイッチがオンしたか否かを判定する（ステップＳ１２）。ステップＳ１２の判定において、メニュースイッチがオンした場合に、ボディＣＰＵ２２０は、メニュー設定動作を制御する（ステップＳ１３）。メニュー設定動作においては、例えば、液晶モニタ駆動回路２１４を制御して背面液晶モニタ２１６にメニュー画面を表示させる。このメニュー画面において、ユーザが所望の項目を選択すると、その項目に対応したカメラの設定を行うことができる。これにより、図６に示した露出モードの選択等を行うことが可能である。このようなメニュー設定動作の後は次のステップに移行する。また、ステップＳ１２の判定において、メニュースイッチがオンしていない場合に、ボディＣＰＵ２２０は、ステップＳ１３の処理をスキップする。
【００５０】
ステップＳ１２又はＳ１３の後、ボディＣＰＵ２２０は、ユーザのレリーズボタンの操作によって１Ｒスイッチがオンしたか否かを判定する（ステップＳ１４）。ステップＳ１４の判定において、１Ｒスイッチがオンした場合に、ボディＣＰＵ２２０は、撮影動作を制御する（ステップＳ１５）。撮影動作においては、例えば、撮像素子２０６を介して得られる画像データのコントラストを評価しながら、撮影レンズ１０１を駆動させて撮影レンズ１０１のフォーカスを調整する。この後、ユーザのレリーズボタンの操作によって２Ｒスイッチがオンした場合には、ステップＳ９において得られた露光量に従って絞り機構１０３、フォーカルプレーンシャッタ２０１を制御しつつ撮像素子２０６の露光を実行する。そして、この露光によって得られた画像データを、画像処理回路２１２において処理した後、圧縮伸張回路２１７において圧縮する。その後に圧縮した画像データを、記録媒体２１９に記録する。なお、ステップＳ１４の判定において、１Ｒスイッチがオンしていない場合に、ボディＣＰＵ２２０は、ステップＳ１５の処理をスキップする。
【００５１】
ステップＳ１４又はＳ１５の後、ボディＣＰＵ２２０は、スイッチ検出回路２２５の出力から、交換レンズ１００が取り外されたか否かを判定する（ステップＳ１６）。ステップＳ１６の判定において、交換レンズ１００が取り外されていない場合に、ボディＣＰＵ２２０は、パワースイッチがオンのままであるか否かを判定する（ステップＳ１７）。ステップＳ１７の判定において、パワースイッチがオンのままである場合に、ボディＣＰＵ２２０は、ステップＳ９以後の処理を実行する。一方、ステップＳ１７の判定において、パワースイッチがオフである場合に、ボディＣＰＵ２２０は、交換レンズ１００への電源供給を停止した後（ステップＳ１８）、本カメラの状態をスリープ状態に移行させる。
【００５２】
また、ステップＳ１６の判定において、交換レンズ１００が取り外された場合に、ボディＣＰＵ２２０は、液晶モニタ駆動回路２１４に対してライブビュー動作停止の指示を行う（ステップＳ１９）。次に、ボディＣＰＵ２２０は、交換レンズ１００への電源供給を停止する（ステップＳ２０）。その後、ボディＣＰＵ２２０は、交換レンズ１００が装着されたか否かを判定する（ステップＳ２１）。ステップＳ２１の判定において、交換レンズが装着されていない場合に、ボディＣＰＵ２２０は、ステップＳ２１の判定を行いつつ、待機する。ステップＳ２１の判定において、交換レンズ１００が装着された場合に、ボディＣＰＵ２２０は、ステップＳ２以後の処理を実行する。
【００５３】
以上説明したように、本実施形態によれば、レンズ情報から交換レンズ１００の種類を自動判別し、特殊交換レンズが装着された場合には、撮像素子２０６を介して取得される画像を、通常の交換レンズが装着された場合に対して反転させるようにしている。これにより、ライブビュー動作時に正立像の画像を表示できるとともに、画像の記録時においても正立像の画像を記録することができる。
【００５４】
また、特殊交換レンズは通常の交換レンズに比べて小口径のレンズを有しているため、撮像素子２０６を介して取得される画像が通常の交換レンズを装着した場合に比べて暗くなる。本実施形態では、特殊交換レンズが装着された場合には、通常の交換レンズが装着された場合に比べて撮像素子２０６の感度（前処理回路２０８における画像信号の増幅率）を高くするようにしている。これにより、ライブビュー動作の際に表示される画像や記録媒体２１９に記録される画像が必要以上に暗くなることがない。
【００５５】
ここで、上述した実施形態の技術は図７に示すようなレンズ交換式の一眼レフレックスカメラに適用することも可能である。図７は、レンズ交換式の一眼レフレックスカメラの特徴部分の構成を示した図である。図７に示す以外の基本的な構成は図１で示したものと同様であるので説明を省略する。
【００５６】
図７に示すように、一眼レフレックスカメラでは、撮像素子２０６の前面にクイックリターンミラー２３１が配置されている。このクイックリターンミラー２３１は中央部がハーフミラーで構成されており、交換レンズ１００を介してカメラボディ２００に入射した光束の一部を透過し、一部を反射する。クイックリターンミラー２３１による光束の反射方向には、フォーカシングスクリーン２３２が配置されている。クイックリターンミラー２３１において反射された光束は、フォーカシングスクリーン２３２において結像する。このフォーカシングスクリーン２３２に結像した被写体像はペンタプリズム２３３を介して正立像となる。ユーザはこの被写体像を、接眼光学系２３４を介して観察することが可能である。
【００５７】
また、クイックリターンミラー２３１のハーフミラー部の背面にはサブミラーが設けられており、クイックリターンミラー２３１を透過した光束がサブミラーにおいて反射される。このサブミラーによる光束の反射方向には測距ユニット２３５が設けられている。この測距ユニット２３５は、例えば位相差ＡＦ方式の測距ユニットである。この測距ユニット２３５を用いることで、撮影レンズ１０１のフォーカス調整を行うことが可能である。
【００５８】
図７のような一眼レフレックスカメラにおいては、クイックリターンミラー２３１を撮影光路から退避させたときのみ、ライブビュー動作を実行することが可能である。このときには、図６で示した設定がなされる。これによって特殊交換レンズが装着され、撮像素子２０６に図８（ａ）に示すようにして結像した被写体像を図８（ｂ）に示すように反転させることが可能である。
【００５９】
以上実施形態に基づいて本発明を説明したが、本発明は上述した実施形態に限定されるものではなく、本発明の要旨の範囲内で種々の変形や応用が可能なことは勿論である。例えば、本実施形態においては、画像の反転を画像処理回路２１２において行っているが、画像の反転を撮像素子２０６からの信号の読み出し順やＳＤＲＡＭ２１１への画像データの書き込み順等を制御することにより行っても良い。
【００６０】
また、上述した実施形態では、カメラボディ２００に交換レンズ１００を直接装着する態様のカメラを例示しているが、カメラボディ２００及び交換レンズ１００の種類によっては、フランジバックアダプタと呼ばれるアダプタを介して交換レンズ１００を装着する必要がある場合もある。ここで、本実施形態では、交換レンズ１００が特殊交換レンズであることを示す情報をレンズＣＰＵ１０５とボディＣＰＵ２２０との通信によって取得している。このため、本実施形態では、フランジバックアダプタを介して装着された交換レンズ１００に対しても、その交換レンズ１００が特殊交換レンズであるか否かを判別することが可能である。
【００６１】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００６２】
【図１】本発明の一実施形態に係るカメラの構成を示した図である。
【図２】図２（ａ）は第１のタイプのレンズの一例の構成を示す図であり、図２（ｂ）は第１のタイプを用いた場合の観察像を示した図である。
【図３】図３（ａ）は第２のタイプのレンズの一例の構成を示す図であり、図３（ｂ）は第２のタイプを用いた場合の観察像を示した図である。
【図４】第２のタイプのレンズが用いられた場合の画像の反転について示した図である。
【図５】本発明の一実施形態におけるカメラの動作について示すフローチャートである。
【図６】本発明の一実施形態における交換レンズの種類と動作モードとの関係を示す図である。
【図７】本発明の一実施形態が適用されるレンズ交換式の一眼レフレックスカメラについて示す図である。
【図８】レンズ交換式の一眼レフレックスカメラにおいて第２のタイプのレンズが用いられた場合の画像の反転について示した図である。
【符号の説明】
【００６３】
１００…交換レンズ、１０１…撮影レンズ、１０２…光学系駆動機構、１０３…絞り機構、１０４…絞り駆動機構、１０５…レンズＣＰＵ、１０６…通信端子、２００…カメラボディ、２０１…フォーカルプレーンシャッタ、２０２…シャッタ駆動機構、２０３…防塵フィルタ、２０４…防塵フィルタ駆動回路、２０５…各種フィルタ、２０６…撮像素子、２０７…撮像素子駆動回路、２０８…前処理回路、２０９…データバス、２１０…ＳＤＲＡＭ制御回路、２１１…ＳＤＲＡＭ、２１２…画像処理回路、２１３…ビデオ信号出力回路、２１４…液晶モニタ駆動回路、２１５…ファインダ（Ｆ）内液晶モニタ、２１６…背面液晶モニタ、２１７…圧縮伸張回路、２１８…記録媒体制御回路、２１９…記録媒体、２２０…シーケンスコントローラ（ボディＣＰＵ）、２２１…フラッシュメモリ制御回路、２２２…フラッシュメモリ、２２３…各種スイッチ、２２４…着脱検知スイッチ、２２５…スイッチ検出回路、２２６…入出力回路、２２７…通信回路、２３１…クイックリターンミラー、２３２…フォーカシングスクリーン、２３３…ペンタプリズム、２３４…接眼光学系、２３５…測距ユニット、１０１１…小径広角レンズ、１０１２…リレー光学系
【図１】
2009290787.tif 000003
【図２】
2009290787.tif 000004
【図３】
2009290787.tif 000005
【図４】
2009290787.tif 000006
【図５】
2009290787.tif 000007
【図６】
2009290787.tif 000008
【図７】
2009290787.tif 000009
【図８】
2009290787.tif 000010